(57)【要約】【課題】回転体に巻き付いた廃棄物を簡単に除去して良好に廃棄物処理を行うことができる廃棄物処理装置及び該廃棄物処理装置における廃棄物除去方法を提供する。【解決手段】外部から投入された廃棄物に対して、その軸線Ｃ４回りに回転するように構成された回転体１１を介して所定の処理を行う廃棄物処理装置１において、前記回転体１１に巻き付いた廃棄物の巻き付きを切断する切断手段１２が設けられている【選択図】図２
2009002538.tif 000002
【特許請求の範囲】
【請求項１】
外部から投入された廃棄物に対して、軸線回りに回転するように構成された回転体を介して所定の処理を行う廃棄物処理装置において、前記回転体に巻き付いた廃棄物の巻き付きを切断する切断手段が設けられていることを特徴とする廃棄物処理装置。
【請求項２】
前記切断手段は、前記回転体の外周面との間に挟みこんで前記巻き付いた廃棄物を切断する切断部と、該切断部が前記外周面との間で前記廃棄物を挟み込むように前記切断部を移動させるための駆動部とを備えることを特徴とする請求項１に記載の廃棄物処理装置。
【請求項３】
前記切断部は、前記回転体の軸線方向に沿って形成されており、前記駆動部は、前記回転体に対して接離するように回転体の径方向に沿って前記切断部を移動させるように構成されており、前記駆動部が前記切断部を移動させて当該切断部が前記回転体に対して接近すると、前記切断部と前記回転体の外周面との間で回転体に巻き付いた廃棄物が挟み込まれて前記軸線方向で切断されることを特徴とする請求項２に記載の廃棄物処理装置。
【請求項４】
前記回転体は、その外周面に受部が形成されており、該受部と前記切断部とで前記回転体に巻き付いた廃棄物を挟み込んで切断することを特徴とする請求項２又は３に記載の廃棄物処理装置。
【請求項５】
前記回転体は、その軸線回りに回転するように構成される解砕機であり、外部から投入された廃棄物を当該解砕機の回転によって解砕し、当該廃棄物を焼却するための焼却炉へ供給処理することを特徴とする請求項１乃至４の何れかに記載の廃棄物処理装置。
【請求項６】
外部から投入された廃棄物を分散投入する分散投入部と、該分散投入部から分散投入された廃棄物を搬送する搬送部と、該搬送部にて搬送される廃棄物を解砕する解砕機を具備する解砕部とを備えてなることを特徴とする請求項５に記載の廃棄物処理装置。
【請求項７】
前記焼却炉は、供給された廃棄物をガス化して可燃性ガス及びチャーを生成するガス化炉と、当該可燃ガス及びチャーを燃焼することによりチャー中の灰分を溶融する溶融炉とを備えるガス化溶融炉であることを特徴とする請求項５又は６に記載の廃棄物処理装置。
【請求項８】
その軸線回りに回転可能に構成された回転体と、該回転体に巻き付いた廃棄物の巻き付きを切断するための切断部とを備える廃棄物処理装置における廃棄物除去方法であって、前記回転体に巻き付いた廃棄物を前記切断部にて切断する際に、前記回転体の回転を停止させることを特徴とする廃棄物処理装置における廃棄物除去方法。
【請求項９】
前記回転体は、その外周面に受部が形成されており、該受部が前記切断部に対向する位置で前記回転体の回転を停止させた状態で、前記受部と前記切断部との間に前記回転体に巻き付いた廃棄物を挟み込んで当該廃棄物を切断することを特徴とする請求項８に記載の廃棄物処理装置における廃棄物除去方法。
【発明の詳細な説明】
【技術分野】
【０００１】
本発明は、外部から投入された廃棄物に対して、例えば破砕処理や定量供給処理などの所定の処理を行う廃棄物処理装置及び該装置における廃棄物除去方法に関する。
【背景技術】
【０００２】
従来、外部から投入された廃棄物に対して所定の処理を行う廃棄物処理装置としては、例えば、その軸線回りに回転するように構成される回転体としての解砕機を備え、該解砕機を介して外部から投入された廃棄物を焼却炉へ供給処理するための給じん装置が公知である。該給じん装置は、外部から投入された破砕された廃棄物を、解砕機の回転によって解砕し（ほぐし）、当該解砕した廃棄物を焼却炉へと定量供給することができるものである（下記特許文献１参照）。
【０００３】
また、他の廃棄物処理装置として、その軸線回りに回転するように構成される回転体としての回転刃を備え、該回転刃を介して外部から投入された廃棄物を破砕処理するための破砕装置が公知である。該破砕装置は、外部から投入された廃棄物を、回転刃の回転によって破砕処理することができるものである（下記特許文献２参照）。
【０００４】
これらの廃棄物処理装置は、何れも、その軸線周りに回転可能に構成された解砕機や回転刃などの回転体を回転させて、外部から投入された廃棄物を、解砕して供給したり破砕したりして所定の処理を行うものである。
【特許文献１】特開２００５−１３１５１１号公報
【特許文献２】特開２００３−１３５９８８号公報
【発明の開示】
【発明が解決しようとする課題】
【０００５】
ところで、例えば都市ごみなどの廃棄物には、例えばひもや布、針金などのようなものが含まれていることがある。かかるひも等が含まれた廃棄物が上記のような廃棄物処理装置に投入されると、回転する回転体に巻き込まれて当該回転体に巻き付いてしまうことがある。
【０００６】
そうすると、当該巻き付いた廃棄物を回転体から除去しなければ、回転体に過剰に負荷がかかって故障の原因となったり、廃棄物を処理する能力が低下したりする。
【０００７】
しかも、当該巻き付いた廃棄物を回転体から除去するためには、人力による手作業によってしなければならず、しかも、当該作業に長時間必要な場合があり、省労力、連続操業の面で問題があった。
【０００８】
そこで、本発明は、上記実情に鑑みてなされ、回転体に巻き付いた廃棄物を簡単に除去して良好に廃棄物処理を行うことができる廃棄物処理装置及び該廃棄物処理装置における廃棄物除去方法を提供することを課題とする。
【課題を解決するための手段】
【０００９】
本発明は、上記課題を解決すべくなされたものであり、本発明に係る廃棄物処理装置は、外部から投入された廃棄物に対して、軸線回りに回転するように構成された回転体を介して所定の処理を行う廃棄物処理装置において、前記回転体に巻き付いた廃棄物の巻き付きを切断する切断手段が設けられていることを特徴とする。
【００１０】
該構成の廃棄物処理装置にあっては、切断手段によって、回転体に巻き付いた廃棄物の巻き付きを切断することができるので、当該廃棄物は、切断された箇所からほどけて回転体から除去される。尚、回転体に廃棄物が巻き付いた状態とは、廃棄物が回転体の外周面に少なくとも１周巻いて付着した状態を意味している。また、廃棄物の巻き付きを切断するとは、巻き付いた廃棄物を、その周回りの途中位置において当該周方向に交差する方向で切断することを意味している。
【００１１】
特に、前記切断手段は、前記回転体の外周面との間に挟みこんで前記巻き付いた廃棄物を切断する切断部と、該切断部が前記外周面との間で前記廃棄物を挟み込むように前記切断部を移動させるための駆動部とを備えることが好ましい。
【００１２】
更に、前記切断部は、前記回転体の軸線方向に沿って形成されており、前記駆動部は、前記回転体に対して接離するように回転体の径方向に沿って前記切断部を移動させるように構成されており、前記駆動部が前記切断部を移動させて当該切断部が前記回転体に対して接近すると、前記切断部と前記回転体の外周面との間で回転体に巻き付いた廃棄物が挟み込まれて前記軸線方向で切断されることが好ましい。
【００１３】
また更に、前記回転体は、その外周面に受部が形成されており、該受部と前記切断部とで前記回転体に巻き付いた廃棄物を挟み込んで切断することが好ましく、安全且つ確実に廃棄物を切断することができる。また、回転体の劣化や損傷を防止することができる。
【００１４】
また、前記回転体は、その軸線回りに回転するように構成される解砕機であり、外部から投入された廃棄物を当該解砕機の回転によって解砕し、当該廃棄物を焼却するための焼却炉へ供給処理することが好ましい。尚、かかる廃棄物処理装置としては、廃棄物を焼却するための焼却炉へ廃棄物を供給するための給じん装置が挙げられる。
【００１５】
このような構成とすることにより、切断手段が解砕機に巻き付いた廃棄物の巻き付きを切断するので、当該廃棄物は、切断された箇所からほどけて解砕機から除去される。巻き付いた廃棄物が解砕機から除去されることによって、投入された廃棄物は、かたまりを形成することなく解砕機にて確実に解砕されて焼却炉へ供給される。そうすると、焼却炉への廃棄物の供給量の変動が抑制されて焼却炉内の温度変化を抑制することができるので、焼却炉へ供給された廃棄物が確実に完全燃焼し、例えばダイオキシンや一酸化炭素などの有毒ガスの発生を抑えて公害や環境上安全となる。
【００１６】
更に、外部から投入された廃棄物を分散投入する分散投入部と、該分散投入部から分散投入された廃棄物を搬送する搬送部と、該搬送部にて搬送される廃棄物を解砕する解砕機を具備する解砕部とを備えてなることが好ましい。
【００１７】
また更に、前記焼却炉は、供給された廃棄物をガス化して可燃性ガス及びチャーを生成するガス化炉と、当該可燃ガス及びチャーを燃焼することによりチャー中の灰分を溶融する溶融炉とを備えるガス化溶融炉であることが好ましい。
【００１８】
また、本発明に係る廃棄物処理装置における廃棄物除去方法は、その軸線回りに回転可能に構成された回転体と、該回転体に巻き付いた廃棄物の巻き付きを切断するための切断部とを備える廃棄物処理装置における廃棄物除去方法であって、前記回転体に巻き付いた廃棄物を前記切断部にて切断する際に、前記回転体の回転を停止させることを特徴とする。
【００１９】
該方法によれば、回転体に巻き付いた廃棄物を切断部にて切断するに際し、回転体の回転を停止させているので、当該巻き付いた廃棄物は、確実に切断されて該切断箇所からほどけ、回転体から除去される。
【００２０】
また、前記回転体は、その外周面に受部が形成されており、該受部が前記切断部に対向する位置で前記回転体の回転を停止させた状態で、前記受部と前記切断部との間に前記回転体に巻き付いた廃棄物を挟み込んで当該廃棄物を切断することが好ましく、回転体の損傷を防止することができるとともにより確実に巻き付いた廃棄物を切断することができる。
【発明の効果】
【００２１】
このように、本発明にかかる廃棄物処理装置にあっては、切断手段によって、回転体に巻き付いた廃棄物の巻き付きを切断することができるので、当該巻き付いた廃棄物を簡単に除去して良好な廃棄物処理を行うことができるという効果を奏する。
【００２２】
また、本発明にかかる廃棄物処理装置における廃棄物除去方法によれば、回転体に巻き付いた廃棄物を切断部にて切断するに際し、回転体の回転を停止させるので、当該巻き付いた廃棄物を簡単に除去して良好な廃棄物処理を行うことができるという効果を奏する。
【発明を実施するための最良の形態】
【００２３】
以下、本発明に係る廃棄物処理装置及び該装置における廃棄物除去方法の一実施形態について、図面を参照しつつ詳細に説明する。
図１に、本実施形態における廃棄物処理装置としての給じん装置１が示されている。該給じん装置１は、外部から投入される破砕された廃棄物を、該廃棄物を焼却するための焼却炉（図示しない）へ定量供給するための装置である。尚、本実施形態における焼却炉は、ガス化炉と溶融炉とを備えるガス化溶融炉である。従って、廃棄物は、破砕処理されて給じん装置１に投入され、給じん装置１からガス化溶融炉へ定量的に供給されて処理される。具体的には、給じん装置１から供給された廃棄物は、ガス化炉にてガス化して可燃性ガスとチャーとに分解され、当該可燃性ガスとチャーとが溶融炉に供給されて高温（約１３００℃）で燃焼される。これにより、チャーに含まれる灰分が溶融して溶融スラグが生成される。
【００２４】
かかる給じん装置１は、破砕された廃棄物が外部から投入される分散投入部２と、該分散投入部２から分散投入された廃棄物を搬送する搬送部３と、該搬送部３にて搬送される廃棄物を解砕する解砕部４とを備える。尚、本実施形態では、解砕部４と焼却炉との間の通路には、該通路を開閉するための開閉シール（図示しない）が設けられている。
【００２５】
分散投入部２は、破砕された廃棄物が積載される積載部５と、該積載部５の底部開口５１（分散投入口５１）を開閉する分散板６とを備える。積載部５は、上下方向に沿った筒状であり、上方側の頂部開口５２から破砕された廃棄物が投入され、下方側の底部開口５１から廃棄物を分散投入することができるよう構成されている。分散板６は、その断面が略菱形状である板状体であり、積載部５の底部開口５１を横切るように配置された分散軸線Ｃ１回りに回動可能となっている。尚、本実施形態では、分散軸線Ｃ１は水平方向に沿って形成されている。また、分散板６の形状は断面略菱形形状に限定されるものではない。
【００２６】
分散板６は、当該分散軸線Ｃ１回りに回動することによって、積載部５の底部開口５１の開き度合いを調整することができる。具体的には、分散板６は、その断面における長辺が水平方向となる姿勢（閉塞姿勢）であると積載部５の底部開口５１は分散板６によって閉塞されており、積載部５に積載されている廃棄物は底部開口５１から下方（搬送部３）へは分散投入されない。そして、分散板６が前記閉塞姿勢から分散軸線Ｃ１回りに回動して前記長辺が水平方向に対して傾いた姿勢となるほど、積載部５の底部開口５１の開き度合いは大きくなり、その開き度合い応じた量の廃棄物が下方（搬送部３）へ分散投入される。
【００２７】
搬送部３は、分散投入部２の下端部に連設されており、分散投入部２より分散投入された廃棄物を搬送方向にならしつつ下流側へ搬送する。搬送部３は、廃棄物を下流側に搬送するための搬送機７と、搬送される廃棄物の搬送量を計測して分散投入量を調整する分散投入量調整部８と、搬送される廃棄物を搬送方向にならす圧密防止部９とを備える。
【００２８】
搬送機７は、その軸線（搬送軸線Ｃ２）回りに回転するスクリューであり、搬送の上流端部となる基端部７１が軸支されており、従って搬送の下流端部となる先端部７２が自由端となっている。搬送機７は、その基端部７１が分散投入部２の下方側に位置するように配置されている。尚、本実施形態では、搬送軸線Ｃ２は水平方向に形成されており、分散軸線Ｃ１に交差する方向に形成されている。また、搬送機７は単数設ける場合であっても並列して複数設ける場合であってもよい。かかる搬送機７は、その搬送軸線Ｃ２回りに回転することによって、基端側（上流側）から先端側（下流側）へ向けて廃棄物を搬送する。
【００２９】
分散投入量調整部８は、搬送機７上を搬送される廃棄物の量を計測する計測器８１と、該計測器８１の計測結果に基づいて、分散投入部２からの廃棄物の分散投入量を調整すべく分散板６の回動を制御する制御部８２とを備える。計測器８１は、搬送機７の基端部７１の上方側（分散投入部２の下方側）に配置されており、搬送機７上にて搬送方向にならされて搬送される廃棄物の搬送高さ位置を計測することによって搬送される廃棄物の量を計測するよう構成されている。尚、廃棄物の搬送高さ位置とは、搬送機７上を搬送される廃棄物の上面の搬送機７からの高さ位置をいう。
【００３０】
制御部８２は、計測器８１の計測結果に基づいて、分散板６の回動を開始または停止するものである。具体的には、制御部８２は、計測器８１にて計測された廃棄物の搬送高さ位置が、所定の高さ位置よりも高い位置である場合には搬送される廃棄物の量が多いと判定し、所定の高さ位置よりも低い位置である場合には搬送される廃棄物の量が少ないと判定する判定部８２１と、該判定部８２１が、搬送される廃棄物の量が多いと判定した場合に分散板６を前記閉塞姿勢にてその回動を停止させ、搬送される廃棄物の量が少ないと判定した場合に分散板６を分散軸線Ｃ１回りに回動させる分散調整部８２２とを備える。尚、分散調整部８２２は、判定部８２１が、搬送される廃棄物の量が多いと判定した場合に分散板６の分散軸線Ｃ１回りの回動の回数を調整するように構成することもできる。
【００３１】
圧密防止部９は、搬送機７の先端部７２（下流端部）の上方に配置されており、搬送機７によって搬送される廃棄物を搬送方向にならすように構成されている。具体的には、圧密防止部９は、搬送方向に揺動する圧密防止機１０を備えている。該圧密防止機１０は、その断面が略扇形状で水平方向に沿った柱体であり、扇形状の中心を通る軸線（圧密軸線Ｃ３）回りに搬送方向に揺動自在に構成されている。尚、圧密軸線Ｃ３は、搬送軸線Ｃ２に交差するように配置されており、更に、分散軸線Ｃ１と平行になるように配置されている。
【００３２】
解砕部４は、図１及び２に示すように、搬送部３の下流側に連設されており、搬送部３にて搬送される廃棄物を解砕する（ほぐす）ように構成されている。解砕部４は、その軸線（解砕軸線Ｃ４）回りに回転可能に構成された回転体としての解砕機１１と、該解砕機１１に巻き付いた廃棄物の巻き付きを切断する切断手段１２とを備える。
【００３３】
解砕機１１は、図３に示すように、略円柱状のドラム形状であり、その径方向に突設される突設部１１１が周方向に所定間隔を空けて複数配設されて構成されている。具体的には、解砕機１１は、前記複数の突設部１１１をそれぞれ備える第１胴部１１ａと第２胴部１１ｂとを備えてなり、第１胴部１１ａと第２胴部１１ｂとは、第１胴部１１ａの各突設部１１１間に第２胴部１１ｂの各突設部１１１が位置するように、同軸上で連設されている。即ち、第１胴部１１ａの複数の突設部１１１と第２胴部１１ｂの複数の突設部１１１とは、周方向に位置ずれした配置となっている。また、第１胴部１１ａと第２胴部１１ｂとの境界部、及び、第１胴部１１ａと第２胴部１１ｂとの各々の前記境界部とは反対側の端部には、それぞれ、周方向全周に亘って径方向に延設された鍔状の仕切り部１１３が形成されている。
【００３４】
かかる解砕機１１は、搬送機７の先端部７２よりも搬送方向下流側に配置されており、しかも、その解砕軸線Ｃ４が搬送軸線Ｃ２よりも下方側になるように配置されている。そして、解砕機１１は、上側に位置する突設部１１１が搬送方向上流側に回動すると共に下側に位置する突設部１１１が搬送方向下流側に回動するように回転（正回転Ｘ）させることによって、搬送される廃棄物を解砕処理しつつ下方側へ送るようになっている。尚、本実施形態では、解砕軸線Ｃ４は分散軸線Ｃ１と平行になるように配置されている。
【００３５】
また、解砕機１１は、図１乃至３に示すように、その外周面１１２に解砕軸線Ｃ４方向に沿った受部１３が形成されている。該受部１３は、一定幅で解砕軸線Ｃ４方向に沿って長尺状に形成される当て金であり、解砕機１１の外周面１１２から径方向外方へ突設されている。尚、受部１３の突出量は前記突設部１１１の突出量よりも小さくなっており、また受部１３は解砕機１１の両端部にまで形成されている。また、受部１３は、隣り合う突設部１１１の間の隙間に形成されている。
【００３６】
本実施形態では、受部１３は、第１胴部１１ａと第２胴部１１ｂとのそれぞれに形成されており、第１胴部１１ａの受部１３と第２胴部１１ｂの受部１３とは、周方向に位置ずれして配置されている。具体的には、第１胴部１１ａの受部１３は、その隣り合う突設部１１１の間の隙間であって、当該隙間に配置される第２胴部１１ｂの突設部１１１の周方向位置に対応した位置に形成されている。一方、第２胴部１１ｂの受部１３は、第１胴部１１ａの受部１３の周方向位置と対応する第２胴部１１ｂの突設部１１１と、該突設部１１１に隣り合う突設部１１１との間の隙間であって、当該隙間に配置される第１胴部１１ａの突設部１１１の周方向位置に対応した位置に形成されている。尚、第１胴部１１ａの受部１３と第２胴部１１ｂの受部１３とは、周方向に位置ずれさせずに解砕軸線Ｃ４方向に並べて一直線状に配置することもできる。この場合、第１胴部１１ａの受部１３と第２胴部１１ｂの受部１３とを一体的に連続させることもできる。更に、受部１３は、解砕軸線Ｃ４に交差する方向に沿って形成してもよい。
【００３７】
切断手段１２は、図１及び２に示すように、解砕機１１に巻き付いた廃棄物を解砕軸線Ｃ４方向で切断することができるように構成されており、解砕機１１の外周面１１２との間に挟みこんで解砕機１１に巻き付いた廃棄物を切断する切断部１４と、該切断部１４が前記外周面１１２との間で前記廃棄物を挟み込むように切断部１４を移動させるための駆動部１５と、切断部１４の駆動部１５による移動をガイドするガイド部１６とを備える。本実施形態では、切断手段１２は、解砕機１１の上方側であって解砕機１１よりも搬送方向下流側に配置されている。即ち、切断手段１２と搬送機７とは、搬送軸線Ｃ２方向に離間して配置されており、切断手段１２と搬送機７との間の領域に解砕機１１が配置されており、解砕機１１は切断手段１２及び搬送機７よりも下方側に配置されている。尚、切断手段１２は、解砕部４の外壁１７に設けられており、また、図４に示すように、第１胴部１１ａの受部１３と第２胴部１１ｂの受部１３とのそれぞれに対応するように解砕軸線Ｃ４方向に並設されている。
【００３８】
切断部１４は、その先端部が尖頭状の尖端部１４１である板状体であり、当該尖端部１４１が解砕機１１の外周面１１２に対向し且つ解砕軸線Ｃ４に沿うように配置されている。駆動部１５は、切断部１４の尖端部１４１と対向する端部側（基端部側）に設けられており、切断部１４を解砕機１１に対して接離させ得るように構成されている。具体的には、駆動部１５は、切断部１４の尖端部１４１が受部１３に押付けられるまで解砕機１１の径方向に沿って切断部１４を前進させ、当該受部１３から尖端部１４１が所定距離離間するまで解砕機１１の径方向に沿って切断部１４を後退させるように構成されている。尚、駆動部１５は、解砕部４の外壁１７の外面側に設けられている。本実施形態では、駆動部１５は駆動停止部を備えており、該駆動停止部は、切断部１４の尖端部１４１が受部１３から所定距離離間した位置まで切断部１４が後退したときにリミットスイッチ１８が作動して駆動部１５による切断部１４の後退を停止させるように構成されている。
【００３９】
ガイド部１６は、その内部を切断部１４が摺動することによって切断部１４の駆動部１５による移動をガイドするように構成されている。該ガイド部１６は、解砕部４の外壁１７の内面側から突設されている。具体的には、ガイド部１６は、その一端が外壁１７に連設され、他端が解砕機１１の突設部１１１近傍に位置するように形成されている。
【００４０】
本実施形態では、ガイド部１６の他端部には、解砕機１１に付着して解砕機１１と共に回転する廃棄物を掻き採るための掻採部１９が形成されている。具体的には、掻採部１９は、ガイド部１６の他端部から、解砕機１１の前記正回転Ｘと逆方向に延設されて形成されている。より詳細には、掻採部１９は、ガイド部１６の他端部がガイド部１６の突出方向に直交する方向に且つ下方に延設されて形成されている。掻採部１９は、その一端部がガイド部１６の他端部と一体連続し、他端部が外壁１７に接続固定されている。
【００４１】
次に、以上のような構成の給じん装置１による廃棄物の供給処理について説明する。分散投入部２の頂部開口５２から投入されて積載部５内に積載されている廃棄物は、分散板６の分散軸線Ｃ１回りの回動によって積載部５の底部開口５１から分散されて搬送部３内へ投入される。尚、廃棄物の量は、底部開口５１の開き度合いに応じた量となる。そして、搬送部３内へ投入された廃棄物は、搬送機７によって下流側へ搬送されながらその途中で圧密防止機１０によって搬送方向にならされて均一化された状態で搬送機７の先端部７２から解砕部４へ落下供給される。そして、解砕部４へ落下供給された廃棄物は、解砕機１１によって解砕されて（ほぐされて）下方側へ送られる。具体的には、廃棄物は、解砕機１１の隣り合う突設部１１１の間の隙間に落下し、突設部１１１によって下方へ掻き落とされるようにして解砕されて下方側へ送られ、焼却炉内へ供給される。
【００４２】
ところで、かかる給じん装置１に投入される廃棄物には、例えばひもや布、針金などの長尺状であって破砕され難い廃棄物が含まれている場合がある。かかるひも等が含まれた廃棄物が給じん装置１に投入された場合、例えば解砕機１１にて解砕する際に当該ひも等が解砕機１１の突設部１１１に引っ掛かるなどして解砕機１１の周囲に１周以上巻いて付着してしまうことがある。
【００４３】
巻き付いた廃棄物は、下方側へは送られずに解砕機１１と共に回転し、後続の廃棄物が付着して団子状の塊となり、給じん装置１の焼却炉への定量供給を阻害することとなる。かかる場合には、焼却炉への廃棄物の定量供給を維持すべく、解砕機１１に巻き付いた廃棄物を切断手段１２にて切断して除去する。以下、給じん装置１の切断手段１２による廃棄物除去方法について、図５を参照しつつ説明する。
【００４４】
運転中の給じん装置１において、作業者が解砕機１１に廃棄物が巻き付いているのを確認すると、例えば運転停止スイッチなどを操作して搬送機７の回転を停止させる（ステップＳ１）。搬送機７の回転が停止すると、圧密防止機１０の揺動を停止させ（ステップＳ２）、次いで解砕機１１の回転を停止させて（ステップＳ３）、開閉シールを閉じる（ステップＳ４）。そして、受部１３が切断位置に位置するように解砕機１１を位置決めする（ステップＳ５）。具体的には、受部１３と切断部１４とが対向した位置となるように解砕機１１が回転してその状態で停止する。即ち、受部１３と尖端部１４１とが解砕機１１の径方向に並ぶように位置合わせして解砕機１１の回転を停止させる。
【００４５】
受部１３が位置決めされたのを作業者が確認すると、例えば切断スイッチなどを操作して解砕機１１の回転を停止させた状態で駆動部１５を駆動させ、尖端部１４１が受部１３に押し当てるように切断部１４を前進させる（ステップＳ６）。このとき、切断部１４の尖端部１４１と受部１３との間に、解砕機１１に巻き付いている廃棄物を挟み込んで当該廃棄物を切断してその巻き付きを切断する。そうすると、廃棄物は、その解砕機１１への巻き付きがほどけて解砕機１１から除去される。
【００４６】
解砕機１１に巻き付いた廃棄物の切断が終了すると、駆動部１５が駆動して切断手段１２が受部１３から離間するように後退し、尖端部１４１と受部１３との間の距離が所定距離になるとリミットスイッチ１８が作動して駆動停止部が駆動部１５の駆動を停止し切断部１４の後退が停止する（ステップＳ７）。
【００４７】
切断部１４の後退が停止したのを確認すると、例えば運転再開スイッチなどを操作して、開閉シールを開き（ステップＳ８）、解砕機１１を再び運転させ（ステップＳ９）、次いで圧密防止機１０を再び運転させ（ステップＳ１０）、その後、搬送機７を運転させる（ステップＳ１１）。
【００４８】
尚、本実施形態では、適宜作業者による確認作業が含まれているが、全てセンサなどを用いて一連の切断作業を自動でするようにしても無論よい。
【００４９】
以上のような構成の廃棄物処理装置としての給じん装置１及び該装置における廃棄物除去方法にあっては、切断手段１２によって、回転体としての解砕機１１に巻き付いた廃棄物の巻き付きを切断することができるので、当該廃棄物は、切断された箇所からほどけて解砕機１１から除去される。巻き付いた廃棄物が解砕機１１から除去されることによって、搬送部３から搬送されてきた廃棄物は、かたまりを形成することなく解砕機１１にて確実に解砕されて焼却炉へ供給される。そうすると、焼却炉（ガス化炉）への廃棄物の供給量の変動が抑制されて焼却炉内の温度変化を抑制することができるので、焼却炉へ供給された廃棄物が確実に完全燃焼し、例えばダイオキシンや一酸化炭素などの有毒ガスの発生を抑えて公害や環境上安全となる。
【００５０】
そして、切断手段１１により機械的に且つ短時間で巻き付いた廃棄物を除去できるので、人力による除去作業が必要なくなるため省労力化が図れると共に除去作業のための焼却炉の運転停止時間が短く済む。
【００５１】
更に、焼却炉がガス化溶融炉である場合、従来の人力による除去作業では、除去作業のための長時間のガス化溶融炉停止による溶融炉内保温のための助燃が多大に必要であったが、切断手段１１によりガス化溶融炉停止時間が少なくて済むので、溶融炉保温のための助燃も量が低減でき、ランニングコストを低減することができる。
【００５２】
また、駆動部１５にて移動させられる切断部１４と解砕機１１の外周面１１２に形成された受部１３との間に、巻き付いた廃棄物を挟み込んで当該廃棄物の巻き付きを切断するので、当該廃棄物を安全且つ確実に切断することができ、また、切断部１４による解砕機１１の劣化や損傷を防止することができる。
【００５３】
更に、切断部１４は解砕軸線Ｃ４方向に沿って形成されており、駆動部１５は、切断部１４が解砕機１１に対して接離するように、解砕機１１の径方向に沿って切断部１４を移動させるように構成されているので、解砕機１１に巻き付いた廃棄物を、巻き付いて位置に関係なく切断部１４と解砕機１１とで確実に挟み込んで切断することができる。
【００５４】
また、解砕機１１に巻き付いた廃棄物を切断するに際し、切断部１４の尖端部１４１と受部１３とを位置合わせした状態で、解砕機１１の回転を停止させているので、当該巻き付いた廃棄物を尖端部１４１と受部１３との間に確実に挟み込んで切断し、当該切断位置から廃棄物の巻き付きをほどいて解砕機１１から除去することができる。
【００５５】
尚、本実施形態では、廃棄物処理装置がガス化溶融炉に破砕された廃棄物を供給処理するための給じん装置１である場合について説明したが、これに限られず、例えば外部から投入された廃棄物を破砕処理するための破砕装置である場合であってもよい。この場合、その外周面１１２に刃部を備える回転体としての回転刃に巻き付いた廃棄物を切断することができるように、切断手段１２を適宜配置、構成する。
【００５６】
また、本実施形態では、巻き付いた廃棄物を解砕軸線Ｃ４方向で切断する場合について説明したが、これに限られず、例えば解砕軸線Ｃ４方向に対し傾いた方向で切断する場合であってもよい。何れにしても、廃棄物の解砕機１１への巻き付きを切断することによって、当該巻き付きをほどいて廃棄物を解砕機１１から除去することができる。
【００５７】
更に、本実施形態では、切断部１４が解砕機１１との間に廃棄物を挟み込んで切断する場合について説明したが、これに限られず、例えばレーザーなどのように巻き付いた廃棄物を焼き切るようにしてもよい。或いは、対向する一対の刃部を備える切断部１４を準備し、該一対の刃部にて廃棄物を挟み込んで切断するように構成することもできる。
【００５８】
また更に、本実施形態では、切断部１４の尖端部１４１を受部１３に押し当てて廃棄物を切断する場合について説明したが、これに限られず、例えば受部１３上を摺動させて廃棄物を切断するように構成することもできる。また、受部１３を設けなくてもよい。
【００５９】
また、本実施形態では、解砕機１１が第１胴部１１ａと第２胴部１１ｂとを備える場合について説明したが、これに限られず、例えば第１胴部１１ａのみで構成することもできるし、或いは３つ以上の胴部にて構成することもできる。
【００６０】
更に、本実施形態においては、解砕機１１への廃棄物の巻き付きを作業者が確認する場合について説明したが、これに限られず、例えば、給じん装置１の運転時間が所定時間経過した場合、或いは、ガス化溶融炉内の一酸化炭素濃度（ＣＯ濃度）が所定濃度以上になった場合に、解砕機１１に廃棄物が巻き付いているものとしてもよい。
【００６１】
具体的には、図６に示すように、給じん装置１を運転した時間をタイマー等で計測しておき（ステップＳ２１）、当該運転時間が所定時間を経過した場合には、搬送機７の回転を停止させる（ステップＳ２３）。給じん装置１の運転時間が所定時間を経過していない場合には、ガス化溶融炉内の一酸化炭素濃度を、例えば、ガス化溶融炉に設けられている煙突の入り口付近に設置されている一酸化炭素濃度計にて計測する（ステップＳ２２）。当該一酸化炭素濃度が所定濃度以上になった場合には、運転時間に関らず搬送機７の回転を停止させる（ステップＳ２３）。搬送機７の回転が停止すると、圧密防止機１０の揺動を停止させ（ステップＳ２４）、次いで、解砕機１１の回転を停止させて（ステップＳ２５）、開閉シールを閉じる（ステップＳ２６）。そして、受部１３が切断位置に位置するように解砕機１１を位置決めする（ステップＳ２７）。具体的には、受部１３と切断部１４とが対向した位置となるように解砕機１１を回転させてその状態で解砕機１１の回転を停止する。
【００６２】
受部１３が位置決めされたのを作業者が確認すると、例えば切断スイッチなどを操作して解砕機１１の回転を停止させた状態で駆動部１５を駆動させ、尖端部１４１が受部１３に押し当たるように切断部１４を前進させる。このとき、切断部１４の尖端部１４１と受部１３との間に、解砕機１１に巻き付いている廃棄物を挟み込んで当該廃棄物を切断してその巻き付きを切断する（ステップＳ２８）。このようにして、巻き付いた廃棄物を解砕機１１から除去する。
【００６３】
解砕機１１に巻き付いた廃棄物の切断が終了すると、駆動部１５を駆動させて切断手段１２を受部１３から離間させるように後退させ、尖端部１４１と受部１３との間の距離が所定距離になるとリミットスイッチ１８が作動して駆動停止部が駆動部１５の駆動を停止し切断部１４の後退が停止する（ステップＳ２９）。
【００６４】
切断部１４の後退が停止したのを確認すると、例えば運転再開スイッチなどを操作して、開閉シールを開き（ステップＳ３０）、解砕機１１を再び運転させ（ステップＳ３１）、次いで、圧密防止機１０を再び運転させ（ステップＳ３２）、その後、搬送機７を運転させる（ステップＳ３３）。
【図面の簡単な説明】
【００６５】
【図１】本発明に係る廃棄物処理装置としての給じん装置の一実施形態を示す正面図。
【図２】同給じん装置の解砕部を示す正面図。
【図３】同給じん装置の解砕部の解砕機を示す斜視図。
【図４】図２に示す解砕部の平面図。
【図５】本発明に係る廃棄物除去方法の一実施形態を示すフロー図。
【図６】同廃棄物除去方法の他の実施形態を示すフロー図。
【符号の説明】
【００６６】
１…給じん装置、２…分散投入部、３…搬送部、４…解砕部、５…積載部、６…分散板、７…搬送機、８…分散投入量調整部、９…圧密防止部、１０…圧密防止機、１１…解砕機、１１ａ…第１胴部、１１ｂ…第２胴部、１２…切断手段、１３…受部、１４…切断部、１５…駆動部、１６…ガイド部、１７…外壁、１８…リミットスイッチ、１９…掻採部、５１…底部開口（分散投入口）、５２…頂部開口、７１…基端部、７２…先端部、８１…計測器、８２…制御部、１１１…突設部、１１２…外周面、１１３…仕切り部、１４１…尖端部、８２１…判定部、８２２…分散調整部、Ｃ１…分散軸線、Ｃ２…搬送軸線、Ｃ３…圧密軸線、Ｃ４…解砕軸線、Ｘ…正回転
【図１】
2009002538.tif 000003
【図２】
2009002538.tif 000004
【図３】
2009002538.tif 000005
【図４】
2009002538.tif 000006
【図５】
2009002538.tif 000007
【図６】
2009002538.tif 000008